(57)【要約】【課題】立壁部における水の乗り越えを抑制することができるヘアキャッチャーを提供する。【解決手段】ヘアキャッチャーは、流れ込む水が通過する上縁部１０から立ち上がり、上縁部１０に沿って形成される立壁部５を備える。立壁部５は、導入端部５１と、終端部５７とが間隔を空けて設けられている。導入端部５１は、終端部５７よりも内側に形成されており、内側における立上げ位置５１ａから周方向に見て終端部５７から離れる方向へ向かうにつれて、高さが徐々に増すように形成されている。【選択図】図４
2020165162.tif 000002
【特許請求の範囲】
【請求項１】
流れ込む水が通過する上縁部から立ち上がり、前記上縁部に沿って形成される立壁部を備えるヘアキャッチャーであって、
前記立壁部は、一の端部と他の端部とが間隔を空けて設けられており、
前記一の端部は、前記他の端部よりも内側に形成されており、前記内側における立上げ位置から周方向に見て前記他の端部から離れる方向へ向かうにつれて、高さが徐々に増すように形成されていることを特徴とするヘアキャッチャー。
【請求項２】
前記他の端部における側辺が前記上縁部に対して垂直に形成されていることを特徴とする請求項１に記載のヘアキャッチャー。
【請求項３】
前記一の端部と、前記他の端部とが周方向において離間して設けられていることを特徴とする請求項１または２に記載のヘアキャッチャー。
【発明の詳細な説明】
【技術分野】
【０００１】
本発明は、例えば浴室における洗い場床の排水部に配設されるヘアキャッチャーに関する。
【背景技術】
【０００２】
浴室の洗い場床や洗面台等の排水口には、髪の毛やゴミなどで排水管が詰まることを防ぐためにヘアキャッチャーが設けられている。例えば、特許文献１には、流入した排水を保水する凹状の保水部と、保水部の上部から延出し、排水中の髪の毛の流出を抑止しながら保水部に入りきらない排水を流出させる上部排水流出部と、洗い場床からの排水を保水部へ導く排水導入部と、上部排水流出部の外側に配置された立壁部とを備えるヘアキャッチャーが開示されている。立壁部は、ヘアキャッチャーの内側へ排水を導く入口部分における側辺が鉛直方向に延びるように形成されている。
【先行技術文献】
【特許文献】
【０００３】
【特許文献１】特開２０１１−１６３１１６号公報
【発明の概要】
【発明が解決しようとする課題】
【０００４】
特許文献１に記載のヘアキャッチャーは、保水部で生じる旋回流によって髪の毛をまとめることで除去し易くしたものであるが、立壁部を乗り越えて保水部へ水が流入すると、乗り越えた水によって旋回流に乱れが生じてしまう。ヘアキャッチャーの内側へ排水を導く入口部分における立壁部の側辺が鉛直に形成されていると、立壁部の端部での水の流れが悪くなって排水が堰き止められ、端部に至る中途部において排水が立壁部を乗り越えてしまう蓋然性がある。
【０００５】
本発明は、斯かる事情に鑑みてなされたものであり、その目的とするところは、立壁部における水の乗り越えを抑制することができるヘアキャッチャーを提供することにある。
【課題を解決するための手段】
【０００６】
本発明に係るヘアキャッチャーは、流れ込む水が通過する上縁部から立ち上がり、前記上縁部に沿って形成される立壁部を備えるヘアキャッチャーであって、前記立壁部は、一の端部と他の端部とが間隔を空けて設けられており、前記一の端部は、前記他の端部よりも内側に形成されており、前記内側における立上げ位置から周方向に見て前記他の端部から離れる方向へ向かうにつれて、高さが徐々に増すように形成されていることを特徴とする。
【発明の効果】
【０００７】
本発明によれば、立壁部における水の乗り越えを抑制することができる。
【図面の簡単な説明】
【０００８】
【図１】実施形態に係るヘアキャッチャーの外観を示す斜視図である。
【図２】ヘアキャッチャーの側面図である。
【図３】ヘアキャッチャーの平面図である。
【図４】図３に示す方向Ａから見た立壁部の矢視図である。
【図５】立壁部を別の角度から見た外観斜視図である。
【図６】立壁部における水の流れを説明するための模式図である。
【図７】図７（ａ）および図７（ｂ）は変形例に係る立壁部の導入端部を示す模式図である。
【発明を実施するための形態】
【０００９】
以下、本発明を好適な実施の形態をもとに図１から図７を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
（実施形態）
図１、図２を参照する。はヘアキャッチャー１００の側面図である。ヘアキャッチャー１００は、水切り部１および立壁部５を備える。水切り部１は、上縁部１０、リブ構造３、通流孔４および貯水部２を有し、椀状に形成されている。水切り部１は、例えば皿状および深皿状等に形成されていてもよく、全体として円柱状、錐台状または半球状などの様々な形状とすることができる。
【００１１】
ヘアキャッチャー１００は、図２に示すように洗い場床８に設けられた排水口８１に設置され、上方を蓋体８２で覆われる。図２に示す例では、洗い場床８の孔部に取り付けられたフランジ部８０の内側面に爪８１ａが設けられており、上縁部１０に設けた係止部１０ａを爪８１ａに係止させて、ヘアキャッチャー１００を取り付けている。洗い場床８からの水は、立壁部５によって規制されて水切り部１へ流れ込む。尚、図２において、洗い場床８、排水口８１および蓋体８２は断面で表されている。
【００１２】
上縁部１０は円環状であり、リブ構造３によって貯水部２と接続される。洗い場床８からの水は上縁部１０を通って水切り部１の内側に流れ込む。リブ構造３は、複数の縦リブ３１および複数の横リブ３２を有し、上縁部１０と貯水部２とを接続する。縦リブ３１は貯水部２から上縁部１０へ放射状に延びており、上縁部１０から水切り部１の中央へ向かうにつれて下降する勾配を有している。縦リブ３１の勾配は、一定であっても変化してもよい。
【００１３】
図３を参照する。横リブ３２は、複数の縦リブ３１を周方向につなぐ円環状であり、貯水部２側から上方へ向かうにつれて内径が大きくなる。隣り合う縦リブ３１および隣り合う横リブ３２の間に通流孔４が形成されている。
【００１４】
通流孔４は、水切り部１の内外を貫通するように設けられている。通流孔４には、水切り部１の内側における開口部４１の一部を覆うように排水抵抗部４２が形成されている。排水抵抗部４２は、開口部４１の縦リブ３１における縁部４１ａよりも、周方向において通流孔４の中央へ張り出すように設けられている。
【００１５】
排水抵抗部４２は、通流孔４内に臨み、外部水流を水切り部１の内側に誘導する外部水流誘導面４２ａを有する。外部水流誘導面４２ａは、水切り部１の内側から外側に向かうにつれて外部水流の上流側へ延びるように傾斜する面として形成されており、水切り部１の外側で流れる外部水流を水切り部１の内側に引き込む。尚、排水抵抗部４２は、外部水流誘導面４２ａを有しない構成であってもよい。
【００１６】
排水抵抗部４２は、上縁部１０と貯水部２との間に形成される通流孔４の全てに設けられている。例えば、排水抵抗部４２は、上縁部１０に連なる上部に形成される通流孔４に設けられ、貯水部２側に近い通流孔４には設けないような構成としてもよい。また排水抵抗部４２は、水切り部１において設けられていなくてもよい。
【００１７】
貯水部２は、底部２０、水抜き孔２１および側面部２２を有し、椀状に形成されている。貯水部２は、例えば皿状および深皿状等に形成されていてもよく、全体として円柱状、錐台状または半球状などの様々な形状とすることができる。水抜き孔２１は、貯水部２における側面部２２の下端部に横方向に内外を貫通するように設けられている。
【００１８】
立壁部５は、上縁部１０から立ち上がるように上縁部１０に沿って円弧状に形成されており、２つの回転対象な第１立壁部５０および第２立壁部５５で構成されている。第１立壁部５０の導入端部５１および第２立壁部の終端部５７は、間隔を空けて対向しており、両者間に洗い場床８からの導水路が形成される。同様に、第２立壁部５５の導入端部５６および第１立壁部の終端部５２は、間隔を空けて対向しており、両者の間に洗い場床８からの導水路が形成される。
【００１９】
立壁部５における導入端部５１および５６は、水切り部１の内側へ延びるように設けられている。導入端部５１および５６は、水切り部１の下方向に向かうにつれて、周方向の一側へ延びるように傾斜している。導入端部５１および５６は、水切り部１の下方向に向かうにつれて、上方から見て時計まわりの方向へ延びるように傾斜している。導入端部５１および５６は、終端部５７および５２よりも、ヘアキャッチャー１００における内側に設けられている。尚、例えば図３に示す平面視したヘアキャッチャー１００の中心側を内側、径方向に中心から遠ざかる側を外側としている。
【００２０】
立壁部５における導入端部５１と終端部５７との間において、上縁部１０から貯水部２へ延びる導水面６が形成されている。また同様に導入端部５６と終端部５２との間において、上縁部１０から貯水部２へ延びる導水面６が形成されている。導水面６は、下方向に向かうにつれて、周方向の一側へ延びるように傾斜している。導水面６は、導入端部５１および５６と同様に、水切り部１の下方向に向かうにつれて、上方から見て時計まわり方向へ延びるように傾斜している。尚、図３に示す水切り部１では導水面６に通流孔４が設けられていないが、疎らに通流孔４を設けるようにしてもよい。
【００２１】
図４を参照する。方向Ａはヘアキャッチャー１００の上縁部１０の中心から立壁部５の導入端部５１および終端部５７の間の中央を見込む方向である。以下、簡潔化のため導入端部５１および終端部５７について説明するが、立壁部５の導入端部５６および終端部５２についても、導入端部５１および終端部５７と同様に形成されている。
【００２２】
導入端部５１は、水切り部１の内側に入り込んだ最端の位置である立上げ位置５１ａ（水切り部１の内面上の位置）から周方向に見て終端部５７から離れる方向へ向かうにつれて、徐々に壁の高さが増すように形成されている。立壁部５は、導入端部５１において、立上げ位置５１ａへ向かうにつれて高さが低くなる。また、図４に示す導入端部５１の上辺５１ｂは、上方に対して凸状に湾曲しており、立上げ位置５１ａ側で急勾配となっており、立上げ位置５１ａから離れるに従って徐々に緩勾配となるように形成されている。
【００２３】
終端部５７の側辺５７ａは、上縁部１０に対して垂直に延びている。上述のように導入端部５１では立壁部５の高さが立上げ位置５１ａに向かうにつれて低くなるのに対し、終端部５７では立壁部５の高さ、即ち上辺５７ｂの上縁部１０からの高さが側辺５７ａに至るまで一定となっている。尚、側辺５７ａと上辺５７ｂとが交差する角部分には、適宜、面取り等が施されるが、該角部分を含めて高さは一定と考える。
【００２４】
また、図４に示すように導入端部５１と終端部５７とは、周方向において距離Ｌだけ離間して設けられている。Ａ矢視にて、導入端部５１と終端部５７とが接近し、あるいは重なるよう設けることもできるが、離間している場合に比べて、水切り部１へ水が流れ込み難くなる。
【００２５】
次に実施形態に係るヘアキャッチャー１００の動作について説明する。ヘアキャッチャー１００の上縁部１０から水切り部１の上部に流れ込んだ水は、導水面６に沿ってヘアキャッチャー１００の内側を流下し、図３に矢印で示すように旋回流を発生する。水切り部１の内側を流下する水は、その一部が図３に矢印Ｑ１で示すように通流孔４を通して水切り部１の外側に排水される。水切り部１の内側を流下する水は、通流孔４に設けられた排水抵抗部４２によって排水が制限されるため、矢印Ｑ２で示すように水切り部１の内側に留まって流下することで、旋回流が発生し易くなる。
【００２６】
排水抵抗部４２は、通流孔４の開口部４１のうち、水が流れ込む方向の先にある縦リブ３１における縁部４１ａの側において、周方向に通流孔４の中央へ張り出すように設けられている。このため、水切り部１の内側を流下する水が排水抵抗部４２に当たって水切り部１の内側に戻され易くなる。
【００２７】
ヘアキャッチャー１００は、水切り部１の内側において旋回流が発生することで、髪の毛等を貯水部２にまとめ、清掃が容易になる。貯水部２には、水抜き孔２１が設けられている。旋回流発生時には水の一部が水抜き孔２１から抜けつつも貯水部２に水が貯まった状態となり、水の流れ込みが止んだ後、貯水部２に貯まった水が時間経過とともに水抜き孔２１から排水される。
【００２８】
立壁部５は、導入端部５１および終端部５７の間の導入路、並びに、導入端部５６および終端部５２の間の導入路を通して、洗い場床８からの水を水切り部１の内側へ導入する。導入端部５１および５６は、水切り部１の内面に沿う下方向に向かうにつれて、上方から見て時計まわりの方向へ延びるように傾斜していることで、時計まわりの旋回流の発生を促進する。
【００２９】
図５を参照する。図５に矢印で示すように、立壁部５の導入端部５１側では、上方から見て時計まわりに水が流れて導水面６へと流れ込む。また、終端部５７側では、同様に上方から見て時計まわりに水が流れ、第２立壁部５５における導入端部５６へと導かれる。導入端部５１に沿って水が流れ込むことで水切り部１の内側に旋回流が生じる。
【００３０】
図６を参照する。図６は図４に示した矢視図に相当している。終端部５７における側辺５７ａが上縁部１０に対して垂直に設けられているので、終端部５７側から水が導水面６へ流れ込み難いので、旋回流の発生を妨げ難くなっている。また、導入端部５１と終端部５７とが周方向において離間することでヘアキャッチャー１００の内側へ水が流れ込み易くなっている。
【００３１】
外部から流れ込む水の量が増えた場合、立壁部５を乗り越えて水が水切り部１へ流れ込む可能性がある。しかしながら、導入端部５１における上辺５１ｂは、立上げ位置５１ａから徐々に高さが増すように形成されているので、図６に示す矢印Ｐ１のように、導入端部５１において、より低い位置で立壁部５を乗り越えて水が水切り部１内へ流れ込むことになる。水が立壁部５を乗り越える位置が低いほど、水の位置エネルギーが小さくなり、水切り部１内で生じる旋回流を乱す影響は低減される。
【００３２】
外部から流れ込む水の量が増えた場合、上述のように導入端部５１で低い高さで水が立壁部５を乗り越えることで導入端部５１での流量が増し、図６に示す矢印Ｐ２のような、導入端部５１以外の立壁部５での水の乗り越えを抑制することができる。導入端部５１以外の立壁部５における水の乗り越えが抑制されることで、高い位置からの水の流れ込みによる旋回流への影響を抑えることができる。
【００３３】
（変形例）
図７（ａ）および図７（ｂ）を参照する。図７（ａ）および図７（ｂ）は、図４に示した矢視図に相当している。図７（ａ）に示す導入端部５１は、上辺５１ｂがテーパ状に形成されており、上辺５１ｂの勾配が一定としてある。この場合も、導入端部５１における立壁部５の高さが低くなるので、水切り部１内で生じる旋回流を乱す影響は低減される。
【００３４】
図７（ｂ）に示す導入端部５１は、立上げ位置５１ａから上方に対して凸状に湾曲する上辺部分５１ｃと、上辺部分５１ｃに連続し、上方に対して凹状に湾曲する上辺部分５１ｄを有する。この場合、上辺部分５１ｃが設けられることによって、導入端部５１にある程度の高さを持たせることができるので、外部から流れ込む水が増えた場合でも一定量までは、導入端部５１での水の乗り越えを抑制することができる。また、上辺部分５１ｄでは、上方に対して凹状となっていることから、立壁部５の高さが低く形成される。上辺部分５１ｄが設けられることによって、外部から流れ込む水の量が一定量以上を超えた場合には、旋回流への影響が少ない導入端部５１の上辺部分５１ｄでの水の乗り越えが促進されるので、導入端部５１以外の立壁部５での水の乗り越えを抑制することができる。尚、立壁部５の導入端部５６についても、変形例に係る導入端部５１と同様に構成することができる。
【００３５】
上述の実施形態および変形例では、上方から見て時計まわりに旋回流が発生する例を示したが、上方から見て反時計まわりに旋回流が発生するように構成してもよい。また、導水面６が設けられていない場合でも、立壁部５における導入端部５１および５６、並びに終端部５２および５７は、実施形態および変形例と同様に、水の乗り越えによって旋回流を乱す影響や終端部５２および５７からの水の流れ込みを低減することができる。
【００３６】
次に、実施形態および変形例のヘアキャッチャー１００の特徴を説明する。
本発明の各実施形態および変形例のヘアキャッチャー１００は、流れ込む水が通過する上縁部１０から立ち上がり、上縁部１０に沿って形成される立壁部５を備える。立壁部５は、一の端部としての導入端部５１と、他の端部としての終端部５７とが間隔を空けて設けられている。導入端部５１は、終端部５７よりも内側に形成されており、内側における立上げ位置５１ａから周方向に見て終端部５７から離れる方向へ向かうにつれて、高さが徐々に増すように形成されている。これにより、ヘアキャッチャー１００は、立壁部５における水の乗り越えを抑制することができる。
【００３７】
また終端部５７における側辺５７ａは、上縁部１０に対して垂直に形成されている。これにより、ヘアキャッチャー１００は、終端部５７側から水が導水面６へ流れ込み難いので、旋回流の発生を妨げ難くなっている。
【００３８】
また導入端部５１と終端部５７とが周方向において離間して設けられている。これにより、ヘアキャッチャー１００は、ヘアキャッチャー１００の内側へ水が流れ込み易くなっている。
【００３９】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４０】
１０  上縁部、  ５  立壁部、
５１，５６  導入端部（一の端部）、  ５２，５７  終端部（他の端部）、
５１ａ  立上げ位置、  ５７ａ  側辺、  １００  ヘアキャッチャー。
【図１】
2020165162.tif 000003
【図２】
2020165162.tif 000004
【図３】
2020165162.tif 000005
【図４】
2020165162.tif 000006
【図５】
2020165162.tif 000007
【図６】
2020165162.tif 000008
【図７】
2020165162.tif 000009